Podtech/llm-jp-corpus-v4-ja_patent huggingface dataset:
(57)【要約】【課題】美容院、理髪店において洗髪される時「痒いところはございませんか？」と聞かれても明確に場所を伝えられない。本発明は以上の問題を解決する事を目的とする。【解決手段】図を見ながら番号・記号・文字または色等を伝えることによって洗髪時の痒いところを美容師・理髪師に明確に伝えられる。【選択図】図１
2017051574.tif 000002
【特許請求の範囲】
【請求項１】
頭の形の部位を線で区切り、区切られた枠中に文字、記号・数字や色等で分けて表示し頭の痒い部分を簡潔に指し示せるかゆみの位置図。
【発明の詳細な説明】
【技術分野】
【０００１】  本発明は美容室、理髪店において洗髪されるときに痒い位置を明確に相手に伝えられるかゆみの位置図に関するものである。
【背景技術】
【０００２】  美容院、理髪店において洗髪される時「痒いところはございませんか？」と聞かれても明確に場所を伝えられないと思い「ありません」と答えていた。
【発明の概要】
【発明が解決しようとする課題】
【０００４】  美容院、理髪店において洗髪される時「痒いところはございませんか？」と聞かれても明確に場所を伝えられない。本発明は以上の問題を解決するためになされたものである。
【課題を解決するための手段】
【０００５】  頭の形の部位を線で区切り、番号・記号・文字または色で分けて表示し洗髪時の痒いところを美容師・理髪師に明確に伝えられるようにしたかゆみの位置図。
【発明の効果】
【０００６】  洗髪時の痒い場所を本発明により本人より理髪師に明確に伝えられるので、快適な洗髪ができるようになった。
【図面の簡単な説明】
【０００７】
【図１】本発明の正面図
【発明を実施するための形態】
【０００８】  以下、本発明の実施の形態を説明する。頭をかたちどった位置図（１）に縦方向（２）に複数の線を入れる。横方向（３）にも複数の線を入れる。位置図（１）の左右にはもみあげ（４）（５）を示し、前には前頭部（６）そして後ろには襟足（７）を示す。縦線と横線に分割された枠内に番号・記号・文字または色等を入れる。
本発明は以上のような構造である。
本発明を使用するときは、位置図（１）を理髪師がお客さまに示し、縦線と横線によって分割された枠内の番号・記号・文字または色等の位置図（１）を見て該当箇所を伝えることによって洗髪時、その箇所の丁寧な洗髪サービスが可能となった。
【符号の説明】
【０００９】１位置図、２縦方向の線、３横方向の線、４，５もみあげ部、６前頭部、７襟足
８〜２１  頭の部位
【図１】
2017051574.tif 000003
(57)【要約】【技術課題】ヘッドに植毛された植毛束の根元の部分に歯磨きを終えた後の残り物が付着して不衛生になるのを防止する。【解決手段】ヘッド１に植設された植毛束４の間に断面円弧状の溝２を碁盤の目状に形成すると共に付着物はこのヘッド１の周縁部に開口させた排出口３から洗い流すことができるようにする。【選択図】図２
2017051537.tif 000002
【特許請求の範囲】
【請求項１】
ヘッド部分に植設した植毛束の間に断面円弧状に形成した付着物除去用の溝を形成すると共にこの溝の端は、ヘッドの周縁部に開口させて付着物の排出口として成る歯ブラシ。
【請求項２】
前記ヘッドの表面にフッ素樹脂膜を形成して成る請求項１に記載の歯ブラシ。
【請求項３】
前記ヘッドに形成した溝は、碁盤の目又は綾状を呈していること、を特徴とする請求項１又は２に記載の歯ブラシ。
【発明の詳細な説明】
【技術分野】
【０００１】
本発明は、植毛束の根元の部分に歯磨き粉の残りや歯間の汚れ等が付着して不衛生になるのを防止する歯ブラシに関する。
【背景技術】
【０００２】
歯ブラシを使用すると、短期間で植毛束の根元の部分に歯磨き粉の残りや食べ物が付着して不衛生になる。この傾向は、歯磨き後にいくら丁寧に洗い流しても密集している植毛束の根元の部分には残ってしまう。
【０００３】
そこで、付着した汚れを除去する手段として、特開平１０−１１７８４７号公報には、植毛束の根元部分に小さな穴をあけておき、この穴に通水したり、穴から息を吹きつけて付着した汚れを吹き飛ばすように構成した歯ブラシが公開されている。
【０００４】
しかし、この方法の場合、穴側から息を吹きつけて付着物を吹き飛ばす必要があるため、吹き飛んだ付着物が植毛の中に飛散してしまい、再度水で洗い流すことが必要になると共に穴を設けていない部分には付着物が残ってしまう。
【発明の概要】
【発明が解決しようとする課題】
【０００５】
本発明の目的は、植毛束間に残った付着物を綺麗に洗い流すことができて衛生的な歯ブラシを提供することである。
【課題を解決するための手段】
【０００６】
上記目的を達成するため、請求項１に記載の発明は、歯ブラシにおいて、ヘッド部分に植設した植毛束の間に断面円弧状に形成した付着物除去用の溝を形成すると共にこの溝の端は、ヘッドの周縁部に開口させて付着物の排出口として成ることを特徴とするものである。
【０００７】
また、請求項２に記載の発明は、請求項１に記載の歯ブラシにおいて、前記ヘッドの表面にフッ素樹脂膜を形成して成ることを特徴とするものである。
【０００８】
また、請求項３に記載の発明は、請求項１又は２に記載の歯ブラシにおいて、前記ヘッドに形成した溝は、碁盤の目又は綾状を呈していることを特徴とするものである。
【発明の効果】
【０００９】
本発明の場合、ヘッドに植毛した束間に流し溝を形成したことにより、歯磨き時に発生した付着物は、この溝内に一部かかるようにして残る。
【００１０】
しかし、歯磨きが終わり、洗い流すときに、指の動きで付着物は溝内に押し込まれたり、溝に沿って流動し、ヘッドの輪郭部分に形成した排出口から外に流れ落ちる。
【００１１】
つまり、従来の場合、付着物は植毛束の根元により挟み込まれるようにして残っていたが、溝は植毛束より少し下方に位置するため、付着物は植毛束による挟み込みの作用から開放され、しかも溝は滑らかな断面円弧状を呈しているため、水圧と指先の動きで簡単に除去される。
【００１２】
更に、ヘッドの表面にはフッ素樹脂膜が形成されているため、このフッ素樹脂膜のすべりの作用で付着物の量が少なくなるばかりか、小さな負荷で簡単に除去できる。
【００１３】
また、溝の断面形状を円弧状に形成したことにより、この曲面の作用で付着しにくいと共に除去がしやすい。但し、溝の断面はＶ字状、あるいはコ字状であっても良い。
【００１４】
なお、フッ素樹脂膜は、溝も含めてヘッドの表面全体又は植毛束側の表面に形成する。
【図面の簡単な説明】
【００１５】
【図１】歯ブラシのヘッド部分の平面図である。
【図２】歯ブラシのヘッド部分の側面図である。
【発明を実施するための形態】
【実施例】
【００１６】
請求項１〜３に記載した本発明に係る歯ブラシの実施例を図１及び図２に基づいて詳細に説明する。
【００１７】
図１及び図２において、符号の１は歯ブラシのヘッドであって、このヘッド１には縦横（碁盤の目状）に断面円弧状に形成された溝２が形成されていて、植毛束４は、溝２で囲まれた領域の部分に植毛機により自動植毛されている。
【００１８】
前記溝２は、柄側を除きヘッド１の周縁に係る部分まで形成してあり、この溝２の端は周縁に開口して排出口３となっていて、この排出口３から付着物は除去される。
【００１９】
また、このヘッド１の表面には、全体にフッ素樹脂膜が形成されていて、このフッ素樹脂膜の作用により付着物を少なくすると共に付着しても簡単に洗い流すことができる。
【００２０】
但し、フッ素樹脂膜は、ヘッド１の植毛束４が形成された側だけとしてもよい。
【００２１】
溝２は、本実施例のように碁盤の目状ではなく、綾状に形成してもよく、その効果は殆んど同一である。
【００２２】
また、本発明は、電動歯ブラシにもそのまま適用することができ、本発明の適用範囲内であることは勿論である。
【００２３】
また、ヘッド１の平面形状は、円形又は長方形であってもよい
【符号の説明】
【００２４】
１  ヘッド
２  溝
３  排出口
４  植毛束
【図１】
2017051537.tif 000003
【図２】
2017051537.tif 000004
(57)【要約】【課題】ハーネスプロテクタの取り付け作業を容易にすること。【解決手段】電線２０は、硬質チューブ１２に収められる。コルゲートチューブ１４Ｌおよび１４Ｒは、硬質チューブ１２の外径を上回る内径を有して、硬質チューブ１２の左端部および右端部にそれぞれ遊嵌される。バンドクランプ１８Ｌおよび１８Ｒは、コルゲートチューブ１４Ｌおよび１４Ｒにそれぞれ取り付けられる。テープ１６は、硬質チューブ１２，コルゲートチューブ１４Ｌおよび１４Ｒを跨いで各チューブの外周面に巻き付けられる。【選択図】図１
2017118678.tif 000002
【特許請求の範囲】
【請求項１】
電線を収める内側チューブ、
前記内側チューブの外径を上回る内径を有して前記内側チューブの端部に遊嵌された外側チューブ、
前記外側チューブに取り付けられたクランプ、および
前記内側チューブおよび前記外側チューブを跨いで前記内側チューブおよび前記外側チューブの各々の外周面に巻き付けられたテープを備える、ハーネスプロテクタ。
【発明の詳細な説明】
【技術分野】
【０００１】
この発明は、ハーネスプロテクタに関し、特に、ワイヤハーネスを保護するチューブと当該チューブを所望の位置に固定するためのクランプとを備える、ハーネスプロテクタに関する。
【背景技術】
【０００２】
この種のハーネスプロテクタの一例が、特許文献１に開示されている。この文献によれば、ワイヤハーネスはハーネスプロテクタ内に収容されるところ、ワイヤハーネスには小径の係止部本体を有する係止クリップが固定され、ハーネスプロテクタの壁部には大径の孔部が設けられる。係止部本体は、孔部に遊嵌に貫通した状態でパネルの孔部に係合される。
【０００３】
この結果、係止部本体はハーネスプロテクタの孔部内で径方向に移動自在とされ、パネルの孔部間のピッチに対するハーネスプロテクタの孔部間のピッチ誤差を無視することができる。また、パネルの孔部間のピッチに対する係止部本体間のピッチ誤差は、係止部本体間でワイヤハーネスを撓ませたり伸ばしたりする等で容易に吸収させることができる。
【先行技術文献】
【特許文献】
【０００４】
【特許文献１】特開２０１１−２２３６５０号公報
【発明の概要】
【発明が解決しようとする課題】
【０００５】
しかし、特許文献１では、ワイヤハーネスの硬さによっては係止部本体間のピッチ誤差（公差）を容易に吸収できず、ハーネスプロテクタの取り付け作業が困難になるおそれがある。
【０００６】
それゆえに、この発明の主たる目的は、取り付け作業の容易なハーネスプロテクタを提供することである。
【課題を解決するための手段】
【０００７】
この発明のハーネスプロテクタは、電線を収める内側チューブ、内側チューブの外径を上回る内径を有して内側チューブの端部に遊嵌された外側チューブ、外側チューブに取り付けられたクランプ、および内側チューブおよび外側チューブを跨いで内側チューブおよび外側チューブの各々の外周面に巻き付けられたテープを備える。
【発明の効果】
【０００８】
外側チューブを内側チューブに遊嵌し、内側チューブおよび外側チューブを跨いで内側チューブおよび外側チューブの各々の外周面にテープを巻き付けることで、外側チューブが内側チューブに対して僅かに摺動可能となる。摺動距離は、テープの伸縮性能に従う。クランプは外側チューブに取り付けられるため、クランプ位置の公差はテープによって吸収される。この結果、ハーネスプロテクタの取り付け作業が容易になる。
【０００９】
この発明の上述の目的，その他の目的，特徴および利点は、図面を参照して行う以下の実施形態の詳細な説明から一層明らかとなろう。
【図面の簡単な説明】
【００１０】
【図１】この実施例のハーネスプロテクタの構造を示す図解図である。
【図２】図１に示すハーネスプロテクタのＡ−Ａ断面を示す断面図である。
【図３】図１に示すハーネスプロテクタをエンジンの近傍に取り付けた状態の一例を示す図解図である。
【図４】図３に示す取り付け状態の一部を拡大した拡大図である。
【発明を実施するための形態】
【００１１】
図１および図２を参照して、この実施例のハーネスプロテクタ１０は、電線２０を収める円筒形の硬質チューブ（内側チューブ）１２と、硬質チューブ１２の外径を上回る内径を有する円筒形のコルゲートチューブ（外側チューブ）１４Ｌおよび１４Ｒとを有する。コルゲートチューブ１４Ｌは硬質チューブ１２の左端部に遊嵌され、コルゲートチューブ１４Ｒは硬質チューブ１２の右端部に遊嵌される。したがって、硬質チューブ１２の両端部では、電線２０は、硬質チューブ１２とコルゲートチューブ１４Ｌまたは１４Ｒとによって二重で保護される。
【００１２】
テープ１６は、硬質チューブ１２，コルゲートチューブ１４Ｌおよび１４Ｒを跨いで、硬質チューブ１２，コルゲートチューブ１４Ｌおよび１４Ｒの各々の外周面に螺旋状に巻き付けられる。バンドクランプ１８Ｌはテープ１６の上からコルゲートチューブ１４Ｌに取り付けられ、バンドクランプ１８Ｒはテープ１６の上からコルゲートチューブ１４Ｒに取り付けられる。
【００１３】
このような構造を有するハーネスプロテクタ１０は、たとえば図３または図４に示す要領で自動車のエンジンの近傍に取り付けられる。
【００１４】
コルゲートチューブ１４Ｌおよび１４Ｒを硬質チューブ１２に遊嵌し、硬質チューブ１２，コルゲートチューブ１４Ｌおよび１４Ｒを跨いで各チューブの外周面にテープ１６を巻き付けることで、コルゲートチューブ１４Ｌおよび１４Ｒが硬質チューブ１２に対して僅かに摺動可能となる。摺動距離は、テープ１６の伸縮性能に従う。バンドクランプ１８Ｌおよび１８Ｒはコルゲートチューブ１４Ｌおよび１４Ｒに取り付けられるため、バンドクランプ１８Ｌおよび１８Ｒの位置ないし間隔の公差はテープ１６によって吸収される。この結果、ハーネスプロテクタ１０の取り付け作業が容易になる。
【００１５】
参考までに、硬質チューブ１２は塩化ビニルを材料とし、その外径および内径はそれぞれ８ｍｍおよび７ｍｍである。また、コルゲートチューブ１４Ｌおよび１４Ｒの各々はポリプロピレンを材料とし、その外径および内径はそれぞれ１４．１ｍｍおよび１０ｍｍである。さらに、テープ１６は塩化ビニルを材料とし、バンドクランプ１８Ｌおよび１８Ｒはポリプロピレンまたはポリエチレンを材料とする。また電線の外径は４．４ｍｍである。
【００１６】
これを踏まえて、バンドクランプ１８Ｌはコルゲートチューブ１４Ｌの右端部から２５ｍｍ左側の位置に取り付けられ、バンドクランプ１８Ｒはコルゲートチューブ１４Ｒの左端部から２５ｍｍ右側の位置に取り付けられ、バンドクランプ１８Ｌおよび１８Ｒの間隔は１２５ｍｍに調整される。この場合、バンドクランプ１８Ｌおよび１８Ｒの間隔については、±５ｍｍの公差が吸収される。
【符号の説明】
【００１７】
１０  …ハーネスプロテクタ
１２  …硬質チューブ
１４Ｌ，１４Ｒ  …コルゲートチューブ
１６  …テープ
１８Ｌ，１８Ｒ  …バンドクランプ
２０  …電線
【図１】
2017118678.tif 000003
【図２】
2017118678.tif 000004
【図３】
2017118678.tif 000005
【図４】
2017118678.tif 000006
(57)【要約】【課題】本発明は、重い荷物やバッグ等を持ち手によって持つ際、指への痛みや負担を大幅に軽減でき、今までの重さの概念より軽く感じて持つことができる。【解決手段】本発明の軽く感じる持ち手は、これまでは指の一点にしかかかっていなかった荷重を、荷重がかかる支点を手の甲側及び手首に近い側に移すことで、荷重がかかる方向を指から手の平の多くの部分にかけて分散し指や手の痛みや負担を軽減することができ、同じ重さでも今までの概念より軽く感じて持つことができる。【選択図】図１
2017118895.tif 000002
【特許請求の範囲】
【請求項１】
重量がかかる支点を手の甲側及び手首に近い側に移すことで、指先にかかっていた荷重の方向を手の平の多くの部分に分散し、指や手の痛みや負担を軽減でき、同じ重さでも今までの概念より軽く感じて持つことができる持ち手。
【請求項２】
請求項１記載の持ち手において、荷重がかかる支点部分の形状を用途に応じて変えることで、様々な用途に応用できる。
【請求項３】
請求項１又は２に記載の持ち手において、使用の用途に応じてその使用に耐えられるだけの強度を有していれば、素材は限定されない。
【発明の詳細な説明】
【技術分野】
【０００１】
本発明は、指の痛みと負担を軽減するだけでなく、今までの重量に対する概念より軽く感じて持てる持ち手に関するものである。
【背景技術】
【０００２】
従来より、持ち手部分にパッド等を巻きつけて太くすることで、重量物を持つ際に、指の痛みをやわらげるものがある。
【先行技術文献】
【特許文献】
【０００３】
【特許文献１】特開２００９−２２０８８０
【特許文献２】実願２０１４−４８４９
【特許文献３】実願２００７−９３８３
【発明の概要】
【発明が解決しようとする課題】
【０００４】
解決しようとする問題点は、従来の持ち手は荷重のすべてが指に掛かり、やはり指への痛みや負担が大きい点である。
【課題を解決するための手段】
【０００５】
本考案は、指にしか掛かっていなかった荷重の支点を、手の甲側及び手首に近い側に荷重の支点を移すことで、指から手の平の半ばにかけてほぼ均等に荷重を分散することができる。
【発明の効果】
【０００６】
本考案の指の痛みと負担を軽減する持ち手により、指に集中してかかっていた荷重を、指から手の平の半ばにまでほぼ均等に荷重を分散することができ、同じ重量のものを持つ際にも指への負担が大幅に少なくなるので今までの同じ重量に対する概念よりも軽く感じることができ、手で荷物を持つときの負担を軽減できる。
【図面の簡単な説明】
【０００７】
【図１】図１はレジ袋の持ち手に用いた実施例である。（実施例１）
【図２】図２はスーツケースに用いた実施例である。(実施例２)
【図３】図３は材料費を少なくし、コストを抑えた簡易タイプの例である。
【図４】図４は重量物の荷重の方向と、手にかかる荷重が分散される方向のイメージである。
【発明を実施するための形態】
【０００８】
指の痛みと負担を軽減する持ち手は、用途に応じて素材とデザインを変更し、使用の用途の荷重に耐えられるだけの強度及び硬度を有し、荷重がかかる支点の形状を変えることで様々な用途に応用することができる。
【実施例１】
【０００９】
図１は、荷重がかかる支点部分を、レジ袋の持ち手部分が掛けられ、容易に外れてしまわないような構造にしている。
【実施例２】
【００１０】
図２は、効率よく軽く感じられる角度で持てることが理想で、手首に負担がかからないように少しの可動域が設けられている構造で、スーツケースに用いた例である。
【実施例３】
【００１１】
図３は、簡易タイプのもので、素材と設計及びデザインにより荷重に耐えられるだけの強度と硬度を有し、必要最低限の材料費など生産コストを抑えたものの例である。
【産業上の利用可能性】
【００１２】
本発明の持ち手は、荷重がかかるあらゆるものに応用できる。
【符号の説明】
【００１３】
１    荷重の方向
２    手にかかる荷重が分散される方向のイメージ
３    持ち手本体
４    レジ袋
５    スーツケース
【図１】
2017118895.tif 000003
【図２】
2017118895.tif 000004
【図３】
2017118895.tif 000005
【図４】
2017118895.tif 000006
(57)【要約】【課題】ペットボトルキャップの蓋は開栓するとペットボトルから離れてしまうため、近くに置くか手で蓋を持ったままペットボトルを口にすることになり、置いた蓋を落とし汚してしまったり、蓋を持った手が自由に使えないなど、飲み残しのペットボトルに蓋を閉めるまで不便さがあった。更に、資源ごみとして回収されるペットボトルは、蓋を外して出すが、不正開栓防止リングは外せないためそのままペットボトルに付いたまま回収されている課題があった。【解決手段】ペットボトルキャップにおいて、不正開栓防止リング２の一部が開栓後、蓋１と不正開栓防リング２を繋ぐ連結部３となる不正開栓防止切れ目４と分離切れ目５を備えたものである。更に、開栓後、蓋１を引くと不正開栓防止リング２を繋ぐ連結部３が不正開栓防止リング２をペットボトル７から取り外せるように取り外し切れ目６を備えたものである。【選択図】図１
2017119538.tif 000002
【特許請求の範囲】
【請求項１】
ペットボトルキャップにおいて、不正開栓防止リング２の一部が開栓後、蓋１と不正開栓防リング２を繋ぐ連結部３となる不正開栓防止切れ目４と分離切れ目５を備えたものを特徴とする。
【請求項２】
ペットボトルキャップにおいて、開栓後、蓋１を引くことにより不正開栓防止リングをペットボトル７から取り外せるように取り外し切れ目６を備えたものを特徴とする。
【発明の詳細な説明】
【技術分野】
【０００１】  本考案は、ペットボトルに取り付けられるキャップに関するものである。
【背景技術】
【０００２】  従来のペットボトルキャップの蓋に保持機能を有するために専用の保持部を有する技術がある。また、不正開栓防止リングを取り外せる技術がある。
【先行技術文献】
【特許文献】
【０００３】
【特許文献１】特開２００６−１４３３２１
【特許文献２】特開２００６−１７６２０４
【発明の概要】
【発明が解決しようとする課題】
【０００４】  ペットボトルキャップの蓋は開栓するとペットボトルから離れてしまうため、近くに置くか手で蓋を持ったままペットボトルを口にすることになり、置いた蓋を落とし汚してしまったり、蓋を持った手が自由に使えないなど、飲み残しのペットボトルに蓋を閉めるまで不便さがあった。【０００５】  資源ごみとして回収されるペットボトルは、蓋を外して出すが、不正開栓防止リングは外せないためそのままペットボトルに付いたまま回収されている課題があった。
【課題を解決するための手段】
【０００６】  前記目的を達成するため本発明は、ペットボトルキャップにおいて、不正開栓防止リング２の一部が開栓後、蓋１と不正開栓防リング２を繋ぐ連結部３となる不正開栓防止切れ目４と分離切れ目５を備えたものである。【０００７】  ペットボトルキャップにおいて、開栓後、蓋１を引くと不正開栓防止リング２を繋ぐ連結部３が不正開栓防止リング２をペットボトル７から取り外せるように取り外し切れ目６を備えたものである。
【発明の効果】
【０００８】  開栓しても蓋がペットボトルに保持されるため、蓋を無くしたり誤って落として汚したり、手で蓋を持つ不便さを解決することができる。【０００９】  蓋を引っ張ることで簡単に不正開栓防止リングを取り外すことができるため、資源ごみとして完璧な状態でペットボトルを出せる。
【図面の簡単な説明】
【００１０】
【図１】  本発明の実施形態の斜視図である。
【図２】  本発明品をペットボトルに取り付けた状態例の斜視図である。
【図３】  本発明品をペットボトルから開栓途中の状態例の斜視図である。
【図４】  本発明品をペットボトルから開栓した状態例の斜視図である。
【図５】  本発明品をペットボトルから不正開栓防止リングを取り外す状態例の斜視図である。
【発明を実施するための最良の形態】
【００１１】  蓋１と不正開栓防止リング２をつなぐ連結部３は不正開栓防止リング２を取り外すときの引っ張りに耐えられる太さに抑えることが望ましい。【００１２】  不正開栓防止リングを外す取り外し切れ目６は蓋１をもって引っ張らないと切れないような幅を確保する切れ目とすることが望ましい。【００１３】  蓋１と繋ぐ連結部３の接続幅は、不正開栓防止リングを外す引っ張りに耐えられる幅を確保した不正開栓防止切れ目とすることが望ましい。【００１４】  キャップの材質は連結部３が少しねじれても耐えられる柔軟性のあるものが望ましい。
【実施例】
【００１５】  図１は本発明の実施形態の斜視図である。図示の通り、ペットキャップは不正開栓防止切れ目４、分離切れ目５、取り外し切れ目６により構成される蓋１、不正開栓防止リング２、蓋１と不正開栓防止リングをつなぐ連結部３からなる。
【符号の説明】
【００１５】１    蓋
２    不正開栓防止リング
３    連結部
４    不正開栓防止切れ目
５    分離切れ目
６    取り外し切れ目
７    ペットボトル
【図１】
2017119538.tif 000003
【図２】
2017119538.tif 000004
【図３】
2017119538.tif 000005
【図４】
2017119538.tif 000006
【図５】
2017119538.tif 000007
(57)【要約】【課題】本発明は洋服を二つ折りの状態でかけて跡がつかないようにするハンガーを提供する。【解決手段】山形の枠状に形成され、ほぼ中央部にフックが突設されたもので、型枠の下端部分に直径２ｃｍ以上の太い掛止棒が差し渡されたハンガーであって、掛止棒を洋服の幅程度の広いものとともに、すべり落ちにくく、乾きやすい材質にした物干しハンガーである。【選択図】図１
2017119066.tif 000002
【特許請求の範囲】
【請求項１】
山形の枠状に形成され、ほぼ中央部に回転フックが突設されたもので、型枠の下端部分に物干し竿程度の太い掛止棒が差し渡されたハンガーであって、掛止棒に洋服を広げて掛着可能な長尺状に設けると共に、その掛止棒は多孔質な素材をとした特徴を持つ楽・楽ハンガーである。
【発明の詳細な説明】
【技術分野】
【０００１】  本発明は、肩の位置が合わない物や、薄手の物などで変な跡がついたりせず、型崩れを防ぐハンガーであり、さらには掛けるだけで楽に物干しができる、狭いスペースでも効率よく干せるハンガーに関するものである。
【背景技術】
【０００２】  従来は家族のサイズ、洋服の種類でも肩幅はまちまちで、それぞれの洋服に合わせるハンガーをそろえるのは難しい。
物干竿にそのまま掛けるとスペースを取る。
パーカーなど重なる部分が乾きにくい。
【先行技術文献】
【特許文献】
【０００３】
【特許文献１】特開２０００−１８９６９５号公報
【発明の概要】
【発明が解決しようとする課題】
【０００４】  上述したように従来では、洋服ごとにハンガーを選び、少し肩に変な跡がついたりして干していた。
特に、デザイン性の高いものや薄手の洋服などは問題があった。
ハンガーに衣類をかける時に、服の中からハンガーを入れたりするのが面倒である。
※首のところから入れると首回りが伸びたりする。【０００５】  また、上述の問題点を解決するために、物干し竿に広げて引っ掛けるとスペースを取り、数枚しか干せない。
【課題を解決するための手段】
【０００６】  本製品は、山形の枠状に形成され、ほぼ中央部にフック（４）が突設されたハンガー型枠（１）と、このハンガー型枠（１）の下端部分に直径２ｃｍ以上の太い掛止棒（２）が差し渡されたハンガーであって、前記掛止棒２を洋服の幅程度の広いものとともに、すべり落ちにくく、乾きやすい材質にした物干しハンガーである。
【発明の効果】
【０００７】  本発明の物干しハンガーは、あらゆる種類の洋服を干すことを可能にする構造となっており、家族が多くても場所を取らず効率よく干すことができる。
引っ掛けるだけなので、干す際も楽である。
ニットや薄手の洋服の型崩れなども防げる。
トレーナー等の厚手の生地のものは脇の重なり部分やパーカーのフードの部分が乾きにくいがバンザイの状態なので乾きやすい
また、バスタオル等の幅の広いタオルも引っ掛けることができる。
かける部分［掛止棒（２）］が直径２ｃｍ以上あるので空間ができるので、乾きやすく、跡が残りにくい。
【図面の簡単な説明】
【０００８】
【図１】  本発明の斜視図である。
【図２】  本発明の側面図である。
【図３】  本発明の他の実施例を示した斜視図である。
【発明を実施するための形態】
【０００９】  図中１はほぼ山形の枠状に形成され、かつその中央にフック（４）を突設し、結合部（３）は回転するこのとによって、本製品は普通のハンガーより幅が広いため、場所が狭い物干しスペースでも斜めにして干すことができるハンガーである。
また、ハンガー型枠（１）の下端部間に差し渡された掛止棒（２）は衣類に跡がつかないように直径２ｃｍ以上ですべりにくく、乾きやすい素材のものとする。
【符号の説明】
【００１０】  １  肩枠
２  掛止棒
３  結合部
４  フック
【図１】
2017119066.tif 000003
【図２】
2017119066.tif 000004
【図３】
2017119066.tif 000005
(57)【要約】      （修正有）【課題】海まで行くこと無く、部屋でも手軽にパドリング練習を可能にする道具を提供する。【解決手段】地面上でも漕げる（滑る）ようにシャフト２，３の先端に車輪６を設けた。体重を掛け深く漕ぐ体勢を再現出来る様に、ある程度の圧でシャフトが縮む構造を設け、また漕ぎの技術に合わせ、縮み圧や地面を滑る抵抗を調節することでより現実に近い体感を可能にした。【選択図】図１
2017119062.tif 000002
【特許請求の範囲】
【請求項１】
スタンドアップパドル（ＳＵＰ）のパドリング体感を陸上で練習出来る様に
グレード（先端）部分に地面を漕ぐ（滑る）事が可能なロール（車輪）を設け、海上で深く漕ぐ姿勢が再現出来る様にシャフト（棒）が在る程度の圧で縮む事が出来る構造を備え、海上でパドリング（漕ぎ）をしてる姿勢動作を陸上で再現出来る装置
【発明の詳細な説明】
【発明の詳細な説明】
【発明に属する技術分野】
【０００１】海上スポーツのスタンドアップパドル（ＳＵＰ）のパドリング（漕ぎ）練習道具で
海まで行くこと無く、部屋でも手軽にパドリング練習を可能にする道具である。
【背景技術】
【０００２】従来のＳＵＰ道具でのパドリング（漕ぎ）練習は海上のみで行い、
パドリング（漕ぎ）練習には移動時間、天候、季節等に限られていました。
【発明が解決しようとする課題】
【０００３】海上まで行く事無く陸上でパドリング（漕ぎ）練習可能で、生活圏内で手軽に練習でき、短期間上達やトレーニングを可能にした道具
【課題を解決するための手段】
【０００４】地面上でも漕げる（滑る）ようにシャフト先端にロール（車輪）を設けた。
体重を掛け深く漕ぐ体勢を再現出来る様に、ある程度の圧でシャフトが縮む構造を設け、また漕ぎの技術に合わせ、縮み圧や地面を滑る抵抗を調節することでより現実に近い体感を可能にした。
【発明を実施するための形態】
【０００５】シャフト先端の車輪は個定車輪でも可能だが自在車輪を使うと方向性の操縦も必要となりより高度な漕ぎ練習も可能になる。
深く漕ぐ姿勢を実行出来る様にシャフトが縮む構造で、縮める圧をバネやゴム等である程度反発させる事で体重を必要とする漕ぎ方を体感出来る
また漕ぐ（滑る）のにある程度の抵抗を求め抵抗板を設け、パドリングでの水面の抵抗感も再現した。
【発明の効果】
【０００６】現在までは、スタンドアップパドル（ＳＵＰ）のパドリング練習は、海上で行い
海上までの移動時間、天候、季節等に限られ、上達に長い日にちが必要でした。
本発明、陸練習用パドルなら、手軽に部屋でも練習可能で、上達期間を縮めたりレベルＵＰへのトレーニングも可能に出来る。
【図面の簡単な説明】
【図１】
【符号の説明】▲１▼  グリップ
▲２▼  シャフトＡ
▲３▼  シャフトＢ
▲４▼  収縮力調整スプリング
▲５▼  抵抗板
▲６▼  車輪
【図１】
2017119062.tif 000003
【手続補正書】
【提出日】平成28年2月16日(2016.2.16)
【手続補正２】
【補正対象書類名】明細書
【補正対象項目名】全文
【補正方法】変更
【補正の内容】
【発明の詳細な説明】
【発明が属する技術分野】
【０００１】海上スポーツのスタンドアップパドル（ＳＵＰ）のパドリング（漕ぎ）練習道具で海まで行くこと無く、部屋でも手軽にパドリング練習を可能にする道具である。
【背景技術】
【０００２】従来のＳＵＰ道具でのパドリング（漕ぎ）練習は海上のみで行い、パドリング（漕ぎ）練習には移動時間、天候、季節等に限られていました。
【発明が解決しようとする課題】
【０００３】海上まで行く事無く陸上でパドリング（漕ぎ）練習可能で、生活圏内で手軽に練習でき、短期間上達やトレーニングを可能にした道具
【課題を解決するための手段】
【０００４】地面上でも漕げる（滑る）ようにシャフト先端にロール（車輪）を設けた。
体重を掛け深く漕ぐ体勢を再現出来る様に、ある程度の圧でシャフトが縮む構造を設け、また漕ぎの技術に合わせ、縮み圧や地面を滑る抵抗を調節することでより現実に近い体感を可能にした。
【発明を実施するための形態】
【０００５】シャフト先端の車輪は個定車輪でも可能だが自在車輪を使うと方向性の操縦も必要となりより高度な漕ぎ練習も可能になる。
深く漕ぐ姿勢を実行出来る様にシャフトが縮む構造で、縮める圧をスプリングやゴム等である程度反発させる事で体重を必要とする漕ぎ方を体感出来る
また漕ぐ（滑る）のにある程度の抵抗を求め抵抗板を設け、パドリングでの水面の抵抗感も再現した。
【発明の効果】
【０００６】現在までは、スタンドアップパドル（ＳＵＰ）のパドリング練習は、海上で行い海上までの移動時間、天候、季節等に限られ、上達に長い日にちが必要でした。
本発明、陸練習用パドルなら、手軽に部屋でも練習可能で、上達期間を縮めたりレベルＵＰへのトレーニングも可能に出来る。
【図面の簡単な説明】
【０００７】
【図１】  本発明のスプリング式自在車輪型図  である
【符号の説明】
【０００８】▲１▼  グリップ
▲２▼  シャフトＡ
▲３▼  シャフトＢ
▲４▼  収縮力調整スプリング
▲５▼  抵抗板
▲６▼  車輪
▲７▼  回転止め溝
▲８▼  回転止めビス
【手続補正２】
【補正対象書類名】図面
【補正対象項目名】全図
【補正方法】変更
【補正の内容】
【図１】
2017119062.tif 000004
(57)【要約】      （修正有）【課題】内装壁材の縁切り用部材でしかなかったモールに演出性と機能性を確保し、正面板と基板を一体になることで下方向（重量）に耐える構造を持った装飾用モールを提供する。【解決手段】間接照明用発光ダイオード６を配置することで陰影表現のできる演出性が増しまたハンガーを固定するフック７をレール内にスライド式に配置することで自由な機能性を有し。回転軸を中心とする正面板と基板の一体構造にすることで下方向（重量）に耐える構造を確保する。【選択図】図４
2017119064.tif 000002
【特許請求の範囲】
【請求項１】
間接照明用発光ダイオードとハンガーレール、フック等の多機能用途を持つモールで、正面板がビス隠しや入力用配線隠しになると共に基板と一体になることで下方向（重量）に耐える構造を持ち合わせた装飾用モール。
【請求項２】
間接照明用発光ダイオードやハンガーレールをモール内で配置することを特徴とする請求項１に記載の装飾用モール。
【請求項３】
正面板は基板と共に一体になることで下方向（重量）に耐える構造を特徴とする請求項１に記載の装飾用モール。
【請求項４】
モールの正面板は旋回運動により軽く脱着可能で、取付位置の変更や取付ビス隠しの機能を持っていることを特徴する請求項３に記載の装飾用モール。
【発明の詳細な説明】
【技術分野】
【０００１】本発明は壁面の陰影を表現するために配置された間接照明用発行ダイオードや壁面に自由にハンガーを利用できるフックレール等の多機能用途を備えたモールで、正面板が基板に取り付く際、旋回運動により軽く脱着が可能で、さらに正面板と基板が一体になることで下方向（重量）に耐える構造を持ち合わせた装飾用モールに関する。
【背景技術】
【０００２】従来のハンガーフックは壁面への穴加工等で固定し利用されていたものが主流であり利用後の壁面残穴が意匠性を損なわすものとなっていた。また、一度設置してしまうことで脱着が容易にできないことも問題であった。【０００３】壁面には床面と平行に埋め込み式の見切り材が配置されることが多く、利用用途が壁の縁切り用のモールとしてのみであった。
【先行技術文献】
【特許文献】
【０００４】
【特許文献１】特開２００８−０６１７２１号公報
【発明の概要】
【発明が解決しようとする課題】
【０００５】内装壁面の見切り材は演出性と機能性が低いことと脱着性に問題があった。【０００６】本発明は、以上のような背景を元になさたものである。
すなわち、本発明は、内装壁材の縁切り用部材でしかなかったモールに演出性と機能性を向上させ、簡単に脱着でき、かつ外れにくい構造体をもったモールである。
【課題を解決するための手段】
【０００７】かくして、本発明者は、このような問題点に対して鋭意研究を重ねた結果、本発明は壁材の縁切り用部材でしかなかったモールに間接照明用発光ダイオードを配置することで、陰影表現のできる演出性が増し、またハンガーを固定するフックをレール内に、スライド式に配置することで自由な機能性を有し、さらに脱着できる正面板は、ビス隠しと共に基板と一体となり下方向（重量）に耐える構造を見出したのである。【０００８】すなわち、本発明は、（１）、間接照明用発光ダイオードとハンガーレール、フック等の多機能用途を持つモールで、正面板がビス隠しや入力用配線隠しになると共に基板と一体になることで下方向（重量）に耐える構造を持ち合わせた装飾用モールに存ずる。【０００９】すなわち、本発明は、（２）、間接照明用発光ダイオードやハンガーレールをモール内で配置することからなる上記（１）に記載の装飾用モールに存ずる。【００１０】すなわち、本発明は、（３）、正面板は基板と共に一体になることで下方向（重量）に耐える構造を持つことからなる上記（１）に記載の装飾用モールに存ずる。【００１１】すなわち、本発明は、（４）、モールの正面板は旋回運動により軽く脱着可能で、取付位置の変更や取付ビス隠しの機能を持つことからなる上記（３）に記載の装飾用モールに存ずる。
【発明の効果】
【００１２】本発明は、壁面の縁切り部材であるモールの活用域を広げることを可能にし、たとえば発光ダイオードによる配光演出や、空間利用を広げることも可能にするものである。また、モールの正面板は脱着可能で、取付位置の変更や取付ビス隠しの機能性を向上するものである。
【図面の簡単な説明】
【００１３】
【図１】図１は、本発明の装飾用モールを壁面に設置した図である。
【図２】図２は、図１の正面板と基板の脱着前と脱着後の断面を示した図である。
【図３】図３は、図２の正面板と基板が旋回運動により脱着する時の展開図である。
【図４】図４は、図２に発光ダイオードとハンガーフックを配置したときの断面を示した図である。
【発明を実施するための形態】
【００１４】以下は本発明を実施するための形態について図面を用いて説明する。図１は、本発明の装飾モール１を俯瞰的に見た図である。
【００１５】図２は、正面板２、と基板３、の設置前後を断面に示した図である。
【００１６】図３は、正面板２、と基板３、が旋回運動により脱着する時の展開図である。装飾モール図３の構造を順番に並べていうと、正面板２、と基板３、回転軸４、はまり込み部５からなる。
【００１７】図４は、発光ダイオードとハンガーフックを配置したときの断面を示した図である。装飾モール図４の構造を順番に並べていうと、発光ダイオード群６、ハンガーフック群７、ハンガーフック用レール８、壁面止めネジ９、入力用配線１０からなる。
【符号の説明】
【００１８】１    装飾モール
２    正面板
３    基板
４    回転軸
５    はまり込み部
６    発光ダイオード群
７    ハンガーフック郡
８    ハンガーフック用レール
９    壁面止めネジ
１０  入力用配線
【図１】
2017119064.tif 000003
【図２】
2017119064.tif 000004
【図３】
2017119064.tif 000005
【図４】
2017119064.tif 000006
(57)【要約】【課題】体の痛いところの、下に治療器を敷きこみ、体重を架ける事で、指圧効果を提供する。【解決手段】板状台（１）の上に多数の（２）円柱状指圧装具を設けた治療具を特徴とする。【選択図】図１
2017119063.tif 000002
【特許請求の範囲】
【請求項１】
板状台（１）の上に多数の（２）円柱状指圧装具を設けた治療治療器。
【発明の詳細な説明】
【技術分野】
【０００１】  この発明は、板状面に突起を多数設けた装置で、背中や腰部に指圧を架ける役目を、体重や力を使い実現するものである。
【背景技術】
【０００２】  従来、部分指圧装具はあるものの、患部のつぼあわせが、大変だった。
治療場所を面で受ける、形にした。
【先行技術文献】
【０００３】
【発明の概要】
【発明が解決しようとする課題】
【０００４】  使いやすさを追及する。
【課題を解決するための手段】
【０００５】  痛みの点を面で対応するように、指圧装具を面に配置した。
本発明は、板状面に指圧装具を，面状に設けた治療器である。
【発明の効果】
【０００６】  （イ）治療器を置いて、痛む面を乗せたり、押し当ることで、指圧効果を得事ができる。
（ロ）床擦れの、予防が期待できる。
【図面の簡単な説明】
【０００７】
【図１】  本発明の斜視図である。
【図２】  本発明の断面図である。
【発明を実施するための形態】
【０００８】  以下、本発明を実施するための形態について説明する。
板面状台（１）の上に（２）円柱状の突起を多数設ける。
（１）と（２）が一体化した治療器を、体の下に敷きこんだり、押し付けたりで（２）  の頂点で指圧効果を得る。
【符号の説明】
【０００９】  １  治療器の板状台
２  円柱状突起
【図１】
2017119063.tif 000003
【図２】
2017119063.tif 000004
(57)【要約】      （修正有）【課題】軽くて強度のある自動車、二輪車等の車両用フレームを提供する。【解決手段】中空フレームの中に、軽くて丈夫なカーボン繊維等の強化プラスチックなどの樹脂や、金属を詰めた自動車、二輪車等の車両用フレームとする。【選択図】図１
2017119495.tif 000002
【特許請求の範囲】
【請求項１】
中空フレームの中に強化プラスチックなどの樹脂や金属などを入れた車や、バイクのフレーム。
また、樹脂や金属と一緒にカーボン繊維を詰めてもいい。
【発明の詳細な説明】
【発明の詳細な説明】
【技術分野】
【０００１】  本発明は中空フレームに金属や樹脂を流し込んだ車のフレームに関する物である。
【背景技術】
【０００２】  従来、車のフレームを軽くするにはカーボン製のフレームが使われてきたが、作るのに手間も掛り、焼き固めるのに高額の設備も必要であったため、大変不便であった。
【発明を実施するための形態】
【０００３】  本発明は車の中空フレームに軽い素材の樹脂などを詰めたもので、それを図面について、説明すれば、車の中空フレーム１の中に強化プラスチックなどの樹脂２を詰めた物である。
【発明の効果】
【０００４】  この様にすればプレスやパイプなどで手軽に、軽くて丈夫な車のフレームを作る事ができ、大変便利である。
【図面の簡単な説明】
【図１】  本発明の断面図である。
【符号の説明】１          車の中空フレーム
２          強化プラスチックなどの樹脂
【図１】
2017119495.tif 000003
(57)【要約】      （修正有）【課題】カラーベスト等の平板スレート材を葺いた際の葺き上がりに、粘土平板瓦状の重厚感を与える野地板を提供する。【解決手段】屋根材の下地材である野地板に３０ｍｍ程度の段差を瓦幅長に与える。野地板上にルーフィング等の下地材を敷き、その上に屋根材として薄型平板屋根材（カラーベスト・金属板金等）を葺く。【選択図】図２
2017040153.tif 000002
【特許請求の範囲】
【請求項１】
スレート屋根材や金属板金屋根材等の薄型平板屋根材に重厚感を与える段差付き屋根野地板材
【発明の詳細な説明】
【技術分野】
【０００１】本発明は、建築用屋根野地板材に関するものであり、野地板屋根葺き面に粘土平板瓦の葺きあがり時の断面のような断面形状を与え、その上にスレート屋根材あるいは金属板金羽根材等の薄型屋根材を葺くことにより、葺き上がり形状が、あたかも粘土平板瓦等を葺いた屋根のように２０〜３０ｍｍ程度の段差重厚感を賦与する野地板に関するものである。
【背景技術】
【０００２】従来から、屋根形状は、カラーベスト等の平板スレート材などの新生瓦と粘土平板等の重厚感のある粘土平板瓦あるいは和瓦、金属瓦等に区分される。
カラーベスト等の平板スレート材は、安価であるものの、葺き上がりに重厚感がないというデメリットがあった。
一方、粘土平板瓦等は、重厚感があるもののコスト高になり、また、屋根部位の重量が重くなり、住宅構造に負荷をかけ、また、防震性・防風性等に欠けるなどのデメリットや施工手間の負担等のデメリットがあった。
【発明の開示】
【発明が解決しようとする課題】
【０００３】本発明の解決しようとする課題は、屋根材の下地材を従来の平板形状から段差形状の断面にすることにより、カラーベスト等の平板スレート材を葺いた際の葺き上がりに粘土平板瓦状の重厚感を与え、かつ震災等への防災面、建築構造負荷面、施工手間負担面での課題をトータルに解決し、もって、「安価・安心で重厚感のある施工性の高い屋根」という目的を実現しようとするものである。
【課題を解決するための手段】
【０００４】屋根材の下地材である野地板に３０ｍｍ程度の段差を瓦幅長に与えることにより、平板スレート材等の葺き上がり後に、まるで粘土平板瓦を葺いた後のような重厚感を賦与する。
【発明の効果】
【０００５】本発明により、カラーベスト等の薄型新生平板瓦等を葺いた際に粘土平板瓦葺きのような重厚感を与えることが可能となり、かつ、粘土平板瓦葺き時のような、住宅への荷重負荷の軽減、コストカット、施工性の向上などの効果を生むことができる。
【発明を実施するための最良の形態】
【０００６】野地板上にルーフィング等の下地材を敷き、その上に屋根材として薄型平板屋根材（カラーベスト・金属板金等）を葺く。【０００７】段差面の屋根納まりとしては、板金等の使用（断面Ａ−１）・同質役物の使用（断面Ａ−２）・本野地板用屋根材の開発使用（断面Ａ−３）などが考えられる。
【図面の簡単な説明】
【０００８】
【図１】図１は本発明（段差野地板）の断面である。
【図２】図２は本発明（段差野地板）にカラーベスト等の薄型平板屋根板を葺いた断面である。
【図３】図３は段差部（Ａ部）の納まり仕様図である。
【図４】全形図
【図１】
2017040153.tif 000003
【図２】
2017040153.tif 000004
【図３−１】
2017040153.tif 000005
【図３−２】
2017040153.tif 000006
【図４】
2017040153.tif 000007
(57)【要約】      （修正有）【課題】庫内への熱の侵入又庫内からの熱の発散を最小限に抑えることの出来る冷蔵庫及び保温庫を提供する。【解決手段】冷蔵庫及び保温庫の本体１を外板２と内板３の二重として内部を中空部４として、周辺接続部を密閉構造とし、中空部を真空として、内板又は外板に内部を真空とするための抽気装置接続部６を設けたことにより、庫内への熱の侵入または発散を最小限に抑えて庫内を効率よく一定温度に保つことが出来るようにした。【選択図】図１
2017040465.tif 000002
【特許請求の範囲】
【請求項１】
本体を外板と内板で構成し
外板と内板の間を中空部とし
周辺接続部を密閉構造として、
中空部を真空とし、
外板または内板に中空部を真空とするための抽気装置接続部を設けた
冷蔵庫及び保温庫。
【発明の詳細な説明】
【技術分野】
【０００１】  本発明は、熱効率の良い冷蔵庫及び保温庫に関する。
【背景技術】
【０００２】  従来の冷蔵庫及び保温庫においては外気と庫内の間を断熱材を用いて庫内への熱の侵入又は発散を防止している。冷蔵庫においては庫内へ熱が侵入し易く、保温庫においては庫内を高温に保持しておく場合は熱が発散し易く、低温に保持しておく場合は熱が侵入しやすいものであった。【０００３】  断熱材の材質によって熱効率が異なるが、庫内の温度が高くなるにつれて又温度が低くなるほど熱効率が悪化していく。
【発明の開示】
【発明が解決しようとする課題】
【０００５】  以上述べたように従来の冷蔵庫及び保温庫においては庫内が高温であれば熱が逃げやすく、低温であれば熱が侵入しやすいという問題があった。【０００６】    本発明はこのような従来の構造が有している問題を解決しようとするものであり、冷蔵庫及び保温庫において庫内への熱の侵入又庫内からの熱の発散を最小限に抑えることの出来る冷蔵庫及び保温庫を提供することを目的とするものである。
【課題を解決するための手段】
【０００７】  本発明は上記目的を達成するために、本体を外板と内板で構成し、外板と内板の間を中空部とし、周辺接続部を密閉構造として、中空部を真空とし、外板または内板に中空部を真空とするための抽気装置接続部を設けたものである。【０００８】  上記の課題解決手段による作用は次のとおりである。本体を外板と内板で構成しその間を中空部として真空としたことにより冷蔵庫及び保温庫は、外気と庫内の間を真空により遮断されるので全く庫内への熱の侵入や発散はなくなる。ただ、外板と内板の接続部から熱の移動が行われるだけである。【０００９】  また当然のことであるが庫内に食品などを出し入れするためにドアーを開ける場合には庫内への熱の侵入また発散が行われるが、これは使用者の利用のやり方によって個人差が出てくる。
【発明の効果】    上述したように本発明の冷蔵庫及び保温庫は熱の侵入又は発散を最小限に抑える構造としたものであるから消費電力を最小限に節約することが出来る。【０００９】  庫内への熱の侵入また発散を最小限に抑えたことにより、内容量の大きさに対する冷却能力また加熱能力の割合を通常よりも小さく設定することが出来るので更に効率を良くすることが出来る。【００１０】  真空による断熱効果を利用したことにより、従来の冷蔵庫及び保温庫で使用していた断熱材を全く使用しないことが出来る、使用するとしても従来の１／２又１／３に減少させることが出来る。このため同じ外形のものに比べて収納容積を大幅に増大させることが可能となる。
【発明を実施するための最良の形態】
【００１１】  図において１は冷蔵庫及び保温庫の本体であり外板２と内板３で構成されている。外板２と内板３の間を中空部４として周辺接続部５を密閉構造として、中空部４の真空度を保つ構造としておく。そして外板又は内板に抽気装置接続部６を設けて、中空部４の真空度を測定したり真空度が低下している場合は抽気ポンプを取付けて真空度を高くするなどの保守を行う。【００１２】  上記のように構成したので庫内の温度を一定に保持するために外気と庫内の間を真空で遮断されるので、庫内への熱の侵入又発散を最小限に減少させることが出来る
【図面の簡単な説明】
【００１３】
【図１】  本発明の実施形態を示す冷蔵庫及び保温庫の部分断面図
【図２】  図１におけるＡ−Ａ’線断面図
【符号の説明】
【００１４】  １  本体
２  外板
３  内板
４  中空部
５  周辺接続部
６  抽気装置接続部
７  棚
【図１】
2017040465.tif 000003
【図２】
2017040465.tif 000004
(57)【要約】【課題】従来衣服のポケットに物を入れるとポケットの型が崩れたり姿勢を変えるとポケットの中の物が滑り落ちた。本発明は、ポケットに物を入れたときポケットの型が崩れず、ポケットの中の物がポケットから滑り落ちるのを防ぐポケットの蓋を提供する。【解決手段】上部を曲げた板にピンを設けたクリップを設置し、板の表面を前にして衣服のポケットに差し込み、クリップでポケット前部を挟み込み同時にクリップのピンがポケットの表面を刺しぬき、板が衣服のポケットから外れないようにし、板の上部がポケットの蓋の役目をして姿勢を変えてもポケットの中身が外に出ないようにしたもの。【選択図】図１
2017040027.tif 000002
【特許請求の範囲】
【請求項１】
板の上部を横に曲げ、クリップの挟みの先端にピンを設けたクリップを板に設置したもの。
【発明の詳細な説明】
【技術分野】
【０００１】本発明は、衣服のポケットの蓋に関するものである。
【背景技術】
【０００２】従来、衣服の胸ポケットに物を入れるとポケットの型が崩れたり、姿勢を前かがみにしたときポケットの中の物が滑り落ちた。
【発明の概要】
【発明が解決しようとする課題】
【０００３】従来、衣服の胸ポケットに物を入れるとポケットの型が崩れたり、姿勢を前かがみにしたときポケットの中の物が滑り落ちた。
本発明は、以上の問題点を解決するためになされたものである。
【問題を解決するための手段】
【０００４】板（１）の上部（２）を横に曲げる、板（１）にクリップ（４）を設置する筒（３）を設ける、板（１）の上部（３）にクリップ受け（６）を通す穴Ａ（１０）を設ける、板（１）の筒（３）の部分にピン（７）を通す穴Ｂ（９）を設ける、クリップの押え（５）にピン（７）を設ける、クリップの押え（５）を板（１）の表面（８）に出すように筒（３）の外側に出し、クリップの受け（６）を筒（３）の内側に差し込む、クリップの受け（６）を筒（３）の中に接着する、
【発明の効果】
【０００５】本発明の衣服のポケットの蓋は、衣服のポケットに簡単に脱着出来、ポケットの蓋をポケットに装着時にはクリップの先端部分のピンがシャツに突き刺され接続していて姿勢をどのように変えてもシャツの蓋はポケットから離れない、ポケットの中に入れた物は蓋によってポケットから滑り落ちることを防ぐのとポケットの型を整える。
【図面の簡単な説明】
【０００６】
【図１】本発明の上部の斜視図
【図２】本発明の裏側の斜視図
【図３】本発明の側面の斜視図
【図４】本発明の裏側の斜視図
【図５】本発明の側面カット図
【図６】本発明の使用状況の斜視図
【図７】本発明の使用状況の平面図
【発明を実施するための形態】
【０００７】  以下、本発明の実施の形態を説明する。
（い）  板（１）の上部（２）を横に曲げる、板（１）の上部（２）にクリップ（４）の受け（６）を通す穴Ａ（１０）を設ける、板（１）にクリップ（４）を設置する筒（３）を設ける、筒（３）の部分の板（１）にクリップ（４）のピン（７）を通す穴Ｂ（９）を設ける、クリップの押え（５）にピン（７）を設ける、クリップの押え（５）を板（１）の表面（８）に出るようにして筒（３）の外側に出し、クリップの受け（６）を筒（３）の内側に差し込みむ、クリップの受け（６）を筒（３）の内部に接着する。
本発明は以上のような構造である。
本発明を使用するときは
クリップの押え（５）とクリップの受け（６）を指（１１）で握り、クリップの押え（５）をポケット（１２）の外に出して板（１）をポケット（１２）に入れる、クリップの押え（５）とクリップの受け（６）から指（１１）を離す。
本発明の使用をやめるときは、クリップの押え（５）とクリップの受け（６）を指（１１）で握り板（１）をポケット（１２）から引き抜く。
【符号の説明】
【０００８】１板、２板の上部、３筒、４クリップ、５クリップの押え、６クリップの受け
７ピン、８板の表面、９穴Ｂ、１０穴Ａ、１１指、１２ポケット、１３シャツ
【図１】
2017040027.tif 000003
【図２】
2017040027.tif 000004
【図３】
2017040027.tif 000005
【図４】
2017040027.tif 000006
【図５】
2017040027.tif 000007
【図６】
2017040027.tif 000008
【図７】
2017040027.tif 000009